【手続補正書】
【提出日】平成27年7月27日(2015.7.27)
【手続補正１】
【補正対象書類名】明細書
【補正対象項目名】００２３
【補正方法】削除
【補正の内容】
【手続補正２】
【補正対象書類名】明細書
【補正対象項目名】００２４
【補正方法】変更
【補正の内容】
【００２４】
本発明では、（イ）人が所定の水平な基準面上に仰向けに横たわった状態でその両足の踵から爪先までの足部を収容可能な予め定めた３次元空間における前記した基準面よりも上方に位置する水平な上面部、この上面部と対向して位置し前記した基準面の一部をなす底面部およびこれら上面部および底面部の間の空間を筒状に包囲する側面部とによって仕切られた内部空間からなる仮想的な環境調整領域を定義したとき、この環境調整領域における前記した上面部と底部が接する全体として水平で平板状をした天板部と、（ロ）前記した環境調整領域の前記した側面部に配置され、前記した天板部の底面に上端部を位置させると共に、前記した基準面に下端部を位置させ、前記した側面部における特定の側部側とこの側部側に対向する他方の側部側の双方に、前記した基準面に踵を沿わせた状態で前記した足部を前記した環境調整領域とそれ以外の領域との間で自在に出し入れ可能にするサイズと形状をした開口部をそれぞれ１つずつ有し、これら開口部を除いた前記した側面部を構成する部材によって前記した天板部を前記した基準面上で支持する天板支持部と、（ハ）前記した天板部と天板支持部の少なくとも一方に配置され、温度あるいは通気状態で定まる前記した足部の環境状態を、前記した環境調整領域の温度を通電により変化させる温度制御デバイスあるいは前記した環境調整領域の空気を通電により移動させるファンの少なくとも一方からなる環境調整部品への前記した通電によって電気的に調整する環境調整手段とを足部環境調整装置が具備する。
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】変更
【補正の内容】
【００２６】
更に本発明では、（イ）請求項１〜請求項３いずれかに記載の足部環境調整装置と、（ロ）敷き布団あるいはベッドの上面を基準面として前記した天板部の上部に一端部近傍を覆う状態で掛けるように配置する全体として長方形をした寝具としての掛け寝具とを足部環境調整システムが具備する。
【手続補正５】
【補正対象書類名】明細書
【補正対象項目名】００２７
【補正方法】変更
【補正の内容】
【００２７】
以上説明したように本発明によれば、天板部を支持して予め定めた３次元空間を確保する天板支持部の下端部が、人が仰向けに横たわった状態での接触面としての基準面に接している。すなわち、たとえば人が敷布団の上にシーツをひいて、その上に横になったとすると、シーツが基準面となり、このシーツに天板支持部の下端部が接することになる。シーツをひかなかったり、シーツが剥がれてしまったような場合には、敷布団の表面が基準面となる。したがって、人が仰向けに横たわった状態で足を身長の方向に移動させた場合、足の踵は基準面上を移動して、段差に出くわすことなく足部環境調整装置の内部の環境調整領域に自在に入ったり出たりする。しかも、天板支持部は３次元空間としての仮想的な環境調整領域に足部が出し入れされる方向にその出し入れに障害とならないサイズの開口部を確保することができる。
【手続補正６】
【補正対象書類名】明細書
【補正対象項目名】００３０
【補正方法】変更
【補正の内容】
【００３０】
また、本発明によれば、足部環境調整装置自体がコンパクトなサイズなので、収納場所に困ることがない。更に、本発明における環境調整手段の必要とする電力は加熱あるいは空冷を行う際も局部的なスペースに対応させるものであり、電力使用量を僅かに抑えることができる。更にまた足部環境調整装置の高さによって足部の掛け寝具の部分が多少持ち上がるので、環境を調整する領域を環境調整領域内部だけでなく、胴体に沿った周辺部位にまで及ぼすことができる。このため、足部が足部環境調整装置から多少突き出した位置に移動してもその環境を良好に保つことができる。
【手続補正７】
【補正対象書類名】明細書
【補正対象項目名】００３６
【補正方法】変更
【補正の内容】
【００３６】
図３は、本発明の足部環境調整システムのクレーム対応図を示したものである。本発明の足部環境調整システム３０は、足部環境調整装置３１と、掛け寝具３２を備えている。ここで、足部環境調整装置３１は、請求項１〜請求項３いずれかに記載の装置である。掛け寝具３２は、敷き布団あるいはベッドの上を基準面として人が仰向けに横たわった状態でその両足の踵から爪先までの足部を収容可能な予め定めた３次元空間を確保するために前記した敷き布団あるいはベッドの上に足部環境調整装置３１を載置したとき前記した３次元空間を構成する上面部と接する全体として水平で平板状をした天板部の上部に一端部近傍を覆うように掛けるように配置する全体として長方形をした道具であり、掛け布団、毛布、タオルケット等の寝具をいう。
【手続補正８】
【補正対象書類名】特許請求の範囲
【補正対象項目名】全文
【補正方法】変更
【補正の内容】
【特許請求の範囲】
【請求項１】
人が所定の水平な基準面上に仰向けに横たわった状態でその両足の踵から爪先までの足部を収容可能な予め定めた３次元空間における前記基準面よりも上方に位置する水平な上面部、この上面部と対向して位置し前記基準面の一部をなす底面部およびこれら上面部および底面部の間の空間を筒状に包囲する側面部とによって仕切られた内部空間からなる仮想的な環境調整領域を定義したとき、この環境調整領域における前記上面部と底部が接する全体として水平で平板状をした天板部と、
前記環境調整領域の前記側面部に配置され、前記天板部の底面に上端部を位置させると共に、前記基準面に下端部を位置させ、前記側面部における特定の側部側とこの側部側に対向する他方の側部側の双方に、前記基準面に踵を沿わせた状態で前記足部を前記環境調整領域とそれ以外の領域との間で自在に出し入れ可能にするサイズと形状をした開口部をそれぞれ１つずつ有し、これら開口部を除いた前記側面部を構成する部材によって前記天板部を前記基準面上で支持する天板支持部と、
前記天板部と天板支持部の少なくとも一方に配置され、温度あるいは通気状態で定まる前記足部の環境状態を、前記環境調整領域の温度を通電により変化させる温度制御デバイスあるいは前記環境調整領域の空気を通電により移動させるファンの少なくとも一方からなる環境調整部品への前記通電によって電気的に調整する環境調整手段
とを具備することを特徴とする足部環境調整装置。
【請求項２】
前記天板部は平面形状が長方形をした平板であって、前記環境調整領域に収容された前記足部を前記基準面から持ち上げた状態でその足部先端を引っかけることができる所定サイズの開口が１以上の任意の個数形成されており、前記天板支持部は前記天板部の四隅に１本ずつ配置された合計４本の柱状部材を備えることを特徴とする請求項１記載の足部環境調整装置。
【請求項３】
前記環境調整領域内部のそれぞれ異なる箇所に配置された第１および第２のスイッチと、
前記第１のスイッチが所定の第１の時間内に押されるたびに前記環境調整手段の調整項目をサイクリックに１項目ずつ変えて指示する調整項目指示手段と、
この調整項目指示手段が調整項目を指示してから所定の第２の時間が経過する前に前記第２のスイッチが押されたとき前記第１のスイッチで指示した調整項目を選択して実行する調整項目実行手段
とを具備することを特徴とする請求項１記載の足部環境調整装置。
【請求項４】
請求項１〜請求項３いずれかに記載の足部環境調整装置と、
敷き布団あるいはベッドの上面を基準面として前記天板部の上部に一端部近傍を覆う状態で掛けるように配置する全体として長方形をした寝具としての掛け寝具
とを具備することを特徴とする足部環境調整システム。